(57)【要約】【課題】施工が容易であると共に、耐久性に優れる強度の強いワイヤを使用することができ、且つワイヤ張設後の引張力に対しても耐えられる電気柵用ワイヤ支持具を提供する。【解決手段】樹木１の幹部２を利用して樹木間に掛け渡されている通電可能なワイヤ５を樹木１の幹部２から離間させて保持する電気柵用ワイヤ支持具４であって、幹部２に取り付けられる絶縁部材製の本体１０を備え、本体１０には、幹部２に打ち込まれて取り付けられる硬質合成樹脂製の釘部材３を挿通するための挿通孔１４と、ワイヤ５が幹部２の上下方向に移動しないように形成された溝１２とを備えて構成する。本体１０は断面が円形または多角形状の筒状体とすることができ、溝１２は本体１０が釘部材３に取り付けられた状態で、幹部２から遠い側の端部１５の対向位置に幹部２に向かって設ければ良い。【選択図】図１
2014183779.tif 000002
【特許請求の範囲】
【請求項１】
樹木（１）の幹部（２）を利用して樹木間に掛け渡されている通電可能なワイヤ（５）を、前記樹木（１）の幹部（２）から離間させて保持する電気柵用ワイヤ支持具（４）であって、
前記幹部（２）に取り付けられる絶縁部材製の本体（１０）を備え、
前記本体（１０）には、前記幹部（２）に打ち込まれて取り付けられる硬質合成樹脂製の釘部材（３）を挿通するための挿通孔（１４）と、前記ワイヤ（５）が前記幹部（２）の上下方向に移動しないように形成された溝（１２）とを備えることを特徴とする電気柵用ワイヤ支持具。
【請求項２】
前記本体（１０）が筒状体であり、
前記溝（１２）は前記本体（１０）が前記釘部材（３）に取り付けられた状態で、前記幹部（２）から遠い側の端部（１５）の対向位置に前記幹部（２）に向かって設けられており、
前記溝（１２）の各個の底部には、前記ワイヤ（５）の前記幹部（２）の上下方向への移動を規制する固定するワイヤ孔（１１）が設けられており、
前記挿通孔（１４）の直径は前記釘部材（３）の直径よりも大きく、前記挿通孔（１４）の直径から前記ワイヤ孔（１１）の直径を引いた長さの半分が前記釘部材（３）の直径よりも小さく形成され、
前記前記ワイヤ孔（１１）に前記ワイヤ（５）が保持された状態では、前記ワイヤ（５）によって前記釘部材（３）が前記挿通孔（１４）の内周面に押し付けられることを特徴とする請求項１に記載の電気柵用ワイヤ支持具。
【請求項３】
前記ワイヤ孔（１１）の直径と前記溝（１２）の幅が等しく形成され、前記溝（１２）は前記本体（１０）の長手方向において前記ワイヤ孔（１１）に滑らかに接続していることを特徴とする請求項２に記載の電気柵用ワイヤ支持具。
【請求項４】
前記ワイヤ孔（１１）の直径と前記溝（１２）の幅が等しく形成され、前記溝（１２）の軸線は前記本体（１０）の長手方向において前記ワイヤ孔（１１）の中心に対してオフセットされた位置にあることを特徴とする請求項２に記載の電気柵用ワイヤ支持具。
【請求項５】
前記ワイヤ孔（１１）には前記端部（１５）方向に延伸された、前記溝（１２）とは別の逃げ溝（１３）が設けられていることを特徴とする請求項４に記載の電気柵用ワイヤ支持具。
【請求項６】
前記ワイヤ孔（１１）と前記溝（１２）の組が、前記本体（１０）の軸線に直交する方向に、放射状に複数組設けられていることを特徴とする請求項３に記載の電気柵用ワイヤ支持具。
【請求項７】
前記本体（１０）の断面形状が、円形または多角形状であることを特徴とする請求項２から６の何れか１項に記載の電気柵用ワイヤ支持具。
【請求項８】
電気柵用ワイヤ支持具（４）は、前記端部（１５）と単体側の端部（１６）と前記幹部（２）との間に挿入され、前記端部（１６）の外形よりも大きな外形を備えた板状の保護板（２０）を備えており、
前記保護板（２０）には前記釘部材（３）が挿通される釘部材挿通孔（２１）が設けられていることを特徴とする請求項２から７の何れか１項に記載の電気柵用ワイヤ支持具。
【請求項９】
前記保護板（２０）に設けられる前記釘部材挿通孔（２１）の中心は、前記保護板（２０）の中心からオフセットされた位置にあることを特徴とする請求項８に記載の電気柵用ワイヤ支持具。
【請求項１０】
前記保護板（２０）は、前記本体（１０）と一体的に形成されていることを特徴とする請求項８又は９に記載の電気柵用ワイヤ支持具。
【請求項１１】
前記保護板（２０）は、前記ワイヤ（５）の延伸方向に対して湾曲していることを特徴とする請求項１０に記載の電気柵用ワイヤ支持具。
【請求項１２】
前記保護板（２０）は、前記保護板（２０）の湾曲度合が異なるものが複数種類用意されていることを特徴とする請求項１１に記載の電気柵用ワイヤ支持具。
【請求項１３】
前記保護板（２０）がゴム部材から構成されており、前記本体（１０）の前記幹部（２）への取付時に、前記端部（１６）から前記本体（１０）への水の侵入を防止することを特徴とする請求項８または９に記載の電気柵用ワイヤ支持具。
【請求項１４】
電気柵用ワイヤ支持具（４）は、前記端部（１５）に取り付けられて、前記端部（１５）から前記本体（１０）への水の侵入を防止する防水キャップ（４０）を備えていることを特徴とする請求項１３に記載の電気柵用ワイヤ支持具。
【請求項１５】
前記本体（１０）が板状体であり、
前記溝（１２）は前記本体（１０）が前記釘部材（３）に取り付けられた状態で、前記幹部（２）から遠い側の端面（１７）に、前記ワイヤ（５）の延伸方向に平行に少なくとも１条設けられていることを特徴とする請求項１に記載の電気柵用ワイヤ支持具。
【請求項１６】
林野において、所定の領域を取り囲むように樹木（１）の幹部（２）に所定の張力で掛け渡される導電性のワイヤ（５）と、
前記ワイヤ（５）に高電圧を供給する高電圧発生装置（５０）、及び
前記ワイヤ（５）が掛け渡された前記幹部（２）の、前記ワイヤ（５）の係止部分の近傍に前記釘部材（３）によって取り付けられ、前記ワイヤ（５）を前記幹部（２）から引っ張って前記溝（１２）内に移動させて保持することが可能な請求項１から１５の何れか１項に記載の電気柵用ワイヤ支持具（４）とを備えることを特徴とする樹木を利用した電気柵装置。
【請求項１７】
前記ワイヤ（５）を掛け渡して形成する前記領域以外の領域にある前記幹部（２）にも電気柵用ワイヤ支持具（４）を取り付けておき、前記導電ワイヤ（５）を保持する前記電気柵用ワイヤ支持具（４）を変更することにより、前記導電ワイヤ（５）を掛け渡して形成する領域を変更することが可能な請求項１６に記載の電気柵装置。
【発明の詳細な説明】
【技術分野】
【０００１】
本発明は電気柵用ワイヤ支持具及び樹木を利用した電気柵装置に関する。
【背景技術】
【０００２】
近年、野山、特に里山において野生動物の生息数が急増し、山に生えた下草や木の実等を食い荒らすと共に、山に餌がなくなると、里山に近接する農村部に現れて農作物を食い荒らすので、営農が困難になった農家が続出している。野生動物の多くは、昼間は山に身を潜め、夜間になると里に下りて来る傾向が強い。農家では野生動物による農産物の被害を防ぐために、山際に各種フェンスを設置している。フェンスは地中に所定距離を隔てて埋めたポール間に網を張るものであるが、丈夫で耐久性のあるフェンスは施工性が悪く、反対に施工性が良いフェンスは耐久性が劣るという問題があった。また、フェンスは地中にポールを埋め、ポール間に網を張り巡らして行くので、コストが高かった。そこで、設置コストが安く、施工性が良く、しかも耐久性のあるフェンスが望まれている。
【０００３】
このような山際に設置する野生動物の侵入防止用のフェンスに対して、特許文献１に森や林に生えている樹木を利用した野生動物の侵入防止用の牧柵用架線支持具が提案されている。特許文献１に提案の技術は、林や森の中に生える樹木の幹を杭として使用し、幹に硬質合成樹脂製の２００〜３００ｍｍの長さを備えた釘に金属製の架線張設用金具を取り付け、この金具にある輪穴に架線（以後架線はワイヤという）を通して牧柵とするものである。特許文献１には、釘に絶縁性を持たせれば、ワイヤに高電圧を印加して動物を撃退する電気柵にも応用できることが開示されている。
【先行技術文献】
【特許文献】
【０００４】
【特許文献１】実開平１−６７２５７号公報
【発明の概要】
【発明が解決しようとする課題】
【０００５】
ところが、特許文献１に開示の牧柵を電気柵として使用する場合、ワイヤを挿通させる金具の形状から、樹脂製の紐にステンレス等の導線部を編み込んだ簡易型の電気柵用ワイヤしか利用できず、この簡易型の電気柵用ワイヤの強度が弱いために山中での使用では切断の虞があった。即ち、簡易型の電気柵用ワイヤを山中で使用すると、樹木からの枝の落下や倒木によって切断される可能性が高かった。また、特許文献１の図４に記載の形状の支持具では、ワイヤが引っ張られた時に図５のように変形する問題があった。
【０００６】
本発明はこのような前記従来の電気柵用のワイヤ及びワイヤ支持具に特有の課題を解消し、施工が容易であると共に、耐久性に優れる強度の強いワイヤを使用することができ、且つワイヤ張設後の引っ張り力に対しても耐えることができる電気柵用ワイヤ支持具を提供することを目的とする。更に、本発明は、このような電気柵用ワイヤ支持具を樹木に取り付け、通電可能なワイヤを張設することができる樹木を利用した電気柵装置を提供することも目的とする。
【課題を解決するための手段】
【０００７】
前記目的を達成する本発明の実施形態の一観点によれば、樹木の幹部を利用して樹木間に掛け渡されている通電可能なワイヤを、樹木の幹部から離間させて保持する電気柵用ワイヤ支持具であって、幹部に取り付けられる絶縁部材製の本体を備え、本体には、幹部に打ち込まれて取り付けられる硬質合成樹脂製の釘部材を挿通するための挿通孔と、ワイヤが幹部の上下方向に移動しないように形成された溝とを備えることを特徴とする電気柵用ワイヤ支持具が提供される。
【０００８】
また、前記目的を達成する本発明の実施形態の他の観点によれば、林野において、所定の領域を取り囲むように樹木の幹部に所定の張力で掛け渡される導電性のワイヤと、ワイヤに高電圧を供給する高電圧供給装置、及びワイヤが掛け渡された幹部の、ワイヤの係止部分の近傍に釘部材によって取り付けられ、ワイヤを幹部から引っ張って溝内に移動させて保持することが可能な電気柵用ワイヤ支持具とを備えることを特徴とする樹木を利用した電気柵装置が提供される。
【発明の効果】
【０００９】
本発明の電気柵用ワイヤ支持具によれば、山における電気柵の施工が容易であると共に、耐久性に優れる強度の強いワイヤを使用することができ、更に、ワイヤ張設後の引っ張り力に対しても耐えることができるという効果がある。また、本発明の樹木を利用した電気柵装置によれば、施工が容易であり、耐久性に優れ、ワイヤの張り替えによる柵の移動が簡単に行えるという効果がある。
【図面の簡単な説明】
【００１０】
【図１】（ａ）は本発明の電気柵用ワイヤ支持具を用いてワイヤが張り巡らされた林間の状態を示す説明図、（ｂ）は本発明の第１の実施例の電気柵用ワイヤ支持具を樹木の幹部に取り付ける作業を示す組立斜視図、（ｃ）は（ｂ）の手順にて樹木に取り付けられた第１の実施例の電気柵用ワイヤ支持具を示す斜視図である。
【図２】（ａ）は本発明の第１の実施例の電気柵用ワイヤ支持具の斜視図、（ｂ）は（ａ）に示した第１の実施例の電気柵用ワイヤ支持具に釘部材を相通した状態を示す正面図、（ｃ）は（ｂ）に示した第１の実施例の電気柵用ワイヤ支持具が釘部材によって樹木に取り付けられ、ワイヤが支持された状態を示す正面図、（ｄ）は本発明の第１の実施例の変形例の電気柵用ワイヤ支持具の斜視図である。
【図３】（ａ）は本発明の第２の実施例の電気柵用ワイヤ支持具の正面図、（ｂ）は（ａ）に示した電気柵用ワイヤ支持具の変形例の正面図、（ｃ）は本発明の第１の実施形態の第３の実施例の電気柵用ワイヤ支持具の正面図、（ｄ）は（ｃ）に示した電気柵用ワイヤ支持具の変形例の正面図である。
【図４】（ａ）は図２（ｃ）に示した第１の実施例の電気柵用ワイヤ支持具を側面から見た側面図、（ｂ）は（ａ）に示した電気柵用ワイヤ支持具と樹木との間に保護板を挿入した第１の実施例の変形例の側面図である。
【図５】（ａ）は図４（ｂ）に示した保護板の斜視図及び断面図、（ｂ）は図４（ｂ）に示した保護板の別の形態の斜視図及び断面図である。
【図６】（ａ）は図４（ｂ）に示した電気柵用ワイヤ支持具と樹木との間に挿入した保護板をゴム材を使用したシール板とし、更に電気柵用ワイヤ支持具の自由端部側に防水キャップを取り付けた第１の実施例の別の変形例の側面図、（ｂ）は（ａ）に示した保護板の斜視図、（ｃ）は（ａ）に示した防水キャップの一実施例の斜視図、（ｄ）は（ｃ）に示した防水キャップの側面図である。
【図７】（ａ）は本発明の第４の実施例の電気柵用ワイヤ支持具の斜視図、（ｂ）は（ａ）に示した２つの電気柵用ワイヤ支持具を同じ向きに重ねて使用する実施例を示す斜視図、（ｃ）は（ａ）に示した２つの電気柵用ワイヤ支持具を向い合わせて重ねた実施例を示す斜視図である。
【図８】（ａ）は本発明の第５の実施例の電気柵用ワイヤ支持具の斜視図、（ｂ）は（ａ）に示した電気柵用ワイヤ支持具を２つ同じ向きに重ねて使用する実施例を示す斜視図、（ｃ）は（ａ）に示した電気柵用ワイヤ支持具を２つ向い合わせて重ねた実施例を示す斜視図である。
【図９】（ａ）は本発明の第６の実施例の電気柵用ワイヤ支持具の側面図、（ｂ）は（ａ）に示した電気柵用ワイヤ支持具の変形例の側面図である。
【図１０】（ａ）は本発明の第７の実施例の電気柵用ワイヤ支持具の斜視図、（ｂ）は（ａ）に示した電気柵用ワイヤ支持具の変形例の斜視図、（ｃ）は（ａ）に示した電気柵用ワイヤ支持具の更に別の変形例の斜視図である。
【図１１】（ａ）は本発明の第８の実施例の電気柵用ワイヤ支持具の正面図、（ｂ）は（ａ）に示した電気柵用ワイヤ支持具の側面図、（ｃ）は第８の実施例の電気柵用ワイヤ支持具の使用状態を示す平面図である。
【図１２】（ａ）は本発明の電気柵用ワイヤ支持具を用いて山に電気柵で囲まれた領域を形成した状態を示す平面図、（ｂ）は本発明の電気柵用ワイヤ支持具を用いて山に電気柵で囲まれた領域を移動した状態を示す平面図である。
【発明を実施するための形態】
【００１１】
以下、添付図面を用いて本出願の実施の形態を、具体的な実施例に基づいて詳細に説明する。
【００１２】
図１（ａ）は本発明の電気柵用ワイヤ支持具を用いて導電ワイヤ５が張り巡らされた林間の状態を示すものである。導電ワイヤ５は、樹木１の幹部２に打ち込まれた釘部材３に取り付けた本発明の電気柵用ワイヤ支持具４に保持させることによって、簡単に樹木間に掛け渡すことができ、導電ワイヤ５（以後単にワイヤ５と記す）で囲まれた領域を作ることができる。この釘部材３に取り付ける本発明の電気柵用ワイヤ支持具４の実施の形態を以下に、いくつかの実施例に基づいて説明する。
【００１３】
図１（ｂ）は本発明の電気柵用ワイヤ支持具４の第１の実施例を、硬質合成樹脂製の釘部材３を用いて樹木の幹部２に取り付ける作業を示すものである。樹木の幹部２には予めワイヤ５が所定の張力で掛け渡されているものとする。この状態において、釘部材３をワイヤ５が係止されている幹部２の近傍に打ち込む。釘部材３は長いので、この時図示のように、釘部材３が電気柵用ワイヤ支持具４に挿入されていても良い。
【００１４】
図１（ｂ）に示すのは本発明の第１の実施例の電気柵用ワイヤ支持具４であり、筒状の本体１０を備える。本体１０は、図２（ａ）にその単体の形状を詳しく示すが、所定の肉厚を備えた筒状体であり、釘部材３を挿通するための挿通孔１４を備える。そして、本体１０には、釘部材３に取り付けられた状態で、幹部２から遠い側の端部１５の近傍に、ワイヤ５を貫通させるための２つのワイヤ孔１１と、ワイヤ５を端部１５側からワイヤ孔１１）に導く溝１２とが設けられている。第１の実施例では、ワイヤ孔１１の直径と溝１２の幅が等しく形成され、溝１２は本体１０の長手方向においてワイヤ孔１１と滑らかに接続している。通常は、樹木の幹部２に先に釘部材３を打ち込んで固定し、釘部材３に本体１０の挿通孔１４を挿入する。
【００１５】
樹木の幹部２に釘部材３が打ち込まれて固定され、釘部材３に電気柵用ワイヤ支持具４が取り付けられると、図１（ａ）に示した幹部２に掛け渡されていたワイヤ５を、幹部２から引き上げ、釘部材３に取り付けられた電気柵用ワイヤ支持具４の溝１２に挿入する。この状態が図１（ｃ）に示される。ここで、本発明の第１の実施例における本体１０の、釘部材３の直径に対する挿通孔１４の内径、ワイヤ孔１１及び溝１２の位置と、本体１０で保持するワイヤ５の状態について図２（ｂ）、図２（ｃ）及び図４（ａ）を用いて説明する。
【００１６】
図２（ｂ）に示すように、本体１０の、挿通孔１４の内径をＡ、釘部材３の直径をＢ，ワイヤ孔１１の直径をａとし、ワイヤ５の直径をＤとする。次に、対向するワイヤ孔１１の中心を結ぶ線をＣとし、線Ｃは挿通孔１４の中心を通るものとする。挿通孔１４の内径Ａは、釘部材３を挿通するために、釘部材３の直径Ｂよりも大きく、ワイヤ孔１１の直径ａはワイヤ５の直径Ｄよりも大きい。一方、挿通孔１４の内径Ａを大きくし過ぎると、２つのワイヤ孔１１の間を貫通するワイヤ５が釘部材３と接触しなくなり、ワイヤ５が張設後に２つのワイヤ孔１１の間で動いてしまい、損傷する可能性がある。
【００１７】
そこで、第１の実施例では、挿通孔１４の直径Ａからワイヤ孔１１の直径ａを引いた長さの半分の長さ（Ａ−ａ）／２が釘部材３の直径Ｂよりも小さく形成した。また、２つのワイヤ孔１１の直径ａの半分の長さａ／２を、ワイヤ５の直径Ｄよりも小さくした。この結果、２つのワイヤ孔１１の間に直径Ｄのワイヤ５が保持された状態では、ワイヤ５によって釘部材３が挿通孔１４の内周面に押し付けられる。このため、２つの樹木の地上から同じ高さ位置に本体１０を取り付け、ワイヤ５を水平に張った状態では、ワイヤ５は釘部材３から押し上げられる状態になるので、２つの樹木の間でワイヤ５がバタつかない。
【００１８】
図４（ｂ）は図４（ａ）に示した本体１０と樹木の幹部２との間に、保護板２０を挿入した第１の実施例の変形例を示す側面図である。図４（ａ）に示すように、幹部２に直接本体１０を取り付けた場合は、本体１０の幹部２側の端部１６の形状は円形であるので、ワイヤ５が幹部２側に引っ張られた場合に、本体１０の端部１６による押圧力により、幹部２が傷つく可能性がある。変形例はこれを防止するものであり、本体１０の幹部２側の端部１６と幹部２との間に、本体１０の端部１６の外形よりも大きな外形を備えた板状の保護板２０を挿入したものである。保護板２０により、本体１０の端部１６による幹部２側への押圧力が分散されるので、幹部２が損傷しなくなる。
【００１９】
なお、実施可能な本体１０では、挿通孔１４の内径Ａ＝２０ｍｍ、釘部材３の直径Ｂ＝１０ｍｍ，ワイヤ孔１１の直径ａ＝７ｍｍとし、ワイヤ５の直径Ｄ＝５ｍｍとすることができる。また、本体１０の全長は用途に合わせて適宜定めることが可能である。本体１０の全長を長くすれば、ワイヤ５を樹木から離して保持することができる。
【００２０】
図５（ａ）は、図４（ｂ）に示した保護板２０の斜視図及び断面図である。この実施例の保護板２０にはその中央部に釘部材挿通孔２１が設けられている。また、図５（ｂ）は、図４（ｂ）に示した保護板２０の変形例の保護板２０Ａの斜視図及び断面図である。変形例の保護板２０Ａでは、釘部材挿通孔２１の周囲に盛り上がり部２２が設けられており、本体１０の位置決めがやり易くなっている。
【００２１】
また、図２（ａ）に示した第１の実施例の本体１０では、ワイヤ孔１１の直径と溝１２の幅が同じであったが、溝１２は、図２（ｄ）に示すように、端部１５側の幅をワイヤ孔１１側の幅よりも広く形成して、ワイヤを挿入し易くすることが可能である。
【００２２】
更に、第１の実施例では本体１０の断面形状が円形であったが、本体１０の断面形状を多角形状にすることができる。図３（ａ）は本体１０の断面形状を三角形状にした第２の実施例の本体１０を示している。また、図３（ａ）に示す第２の実施例では、断面が三角形状の本体１０の頂点側を下側にしているが、図３（ｂ）に示す変形例のように、頂点を下側にした変形例が可能である。
【００２３】
これに加えて、図３（ｃ）は本体１０の断面形状を四角形とした第３の実施例を示している。図３（ｃ）は本体１０の断面形状を四角形状にし、対角線が水平方向と垂直方向を向けて使用する実施例を示している。また、図３（ｃ）に示す第３の実施例では、対角線を水平方向と垂直方向にしているが図３（ｄ）に示す変形例のように、各辺を水平方向と垂直方向を向けて使用する変形例が可能である。
【００２４】
第２と第３の実施例においても、本体１０に設けたワイヤ孔１１と溝１２、及び挿通孔１４に挿通される釘部材３の寸法を考慮し、２つのワイヤ孔１１の間にワイヤ５が保持された状態では、ワイヤ５によって釘部材３が挿通孔１４の内周面に押し付けられるようにすることができる。
【００２５】
図６（ａ）は第１の実施例の別の変形例を示すものであり、図４（ｂ）に示した電気柵用ワイヤ支持具と樹木との間に挿入した保護板２０をゴム材を使用したシール板２０Ｒとしたものである。更に、図６（ａ）に示す変形例では、電気柵用ワイヤ支持具４の端部１５側にゴム材で形成された防水キャップ４０を取り付け、本体１０内に外部から水が浸入しないようにしている。これは、本体１０内に水が浸入すると、ワイヤ５に印加されていいる高い電圧が本体１０を通じて漏電する可能性があるからである。図６（ｂ）は図６（ａ）に示したシール板２０Ｒを示しており、釘部材挿通孔２１がシール板２０Ｒの中心からオフセットされた位置に設けられている。また、水分がシール板２０Ｒ側に行き難くするために、本体１０の外側にフランジや庇を設けることも可能である。
【００２６】
また、図６（ｃ）は図６（ａ）に示した防水キャップ４０の一実施例の構造を示す斜視図であり、図６（ｄ）は図６（ａ）に示した防水キャップ４０の側面図である。防水キャップ４０は、釘部材３を挿通する釘部材挿通孔４１、スカート部４２、脚部４３、ワイヤ挿通スリット４４、ワイヤ保持孔４５及びスリット４６を備えている。スカート部４２はその内周面が本体１０の端部に密着する。脚部４３は対向位置に２つ設けられており、本体の端部１６方向に延伸され、その長さは、防水キャップが端部１５に被せられた時に、本体１０のワイヤ孔１１を完全に覆う長さである。脚部４３の先端部にはワイヤ挿通スリット４４が設けられており、ワイヤ孔１１に重なる位置にワイヤ保持孔４５及びスリット４６が設けられている。防水キャップ４０はワイヤ５が本体１０に保持された後に、端部１５に嵌められ、ワイヤ挿通スリット４４を介してワイヤ５がワイヤ保持孔４５にはめ込まれることにより、本体１０の内部への端部１５側からの水の侵入を防止する。
【００２７】
図７（ａ）は本発明の第４の実施例の本体１０Ｓを示すものである。第４の実施例の本体１０Ｓでは、その全長を第１の実施例の本体１０の半分程度としている。第４の実施例の本体１０Ｓは、図７（ｂ）に示すように、同じ向きに重ねることにより、第１の実施例の本体１０と同様に使用することができる。また、図７（ｃ）に示すように、溝１２同士を向い合せて重ねることにより、ワイヤの樹木の幹部からの高さを半分にし、更に、ワイヤ５が本体１０Ｓから抜け難くすることができる。
【００２８】
図８（ａ）は本発明の第５の実施例の本体１０Ｈの構造を示す斜視図であり、全長は第２の実施例の本体１０Ｓと同じになっている。第４の実施例の本体１０Ｓでは一方の端部１５にワイヤ孔１１と溝１２の組が対向する位置に設けられているだけであった。一方、第５の実施例の本体１０Ｈでは、一方の端部１５にワイヤ孔１１と溝１２の組が、本体１０Ｈの軸線に直交する方向に、放射状に複数組（第５の実施例では２組）設けられている。第５の実施例の本体１０Ｈも、第４の実施例の本体１０Ｓと同様に、図８（ｂ）に示すように２つ同じ向きに重ねて使用することも、図８（ｃ）に示すように２つ向い合わせて重ねて使用することも可能である。なお、一方の端部１５に設けるワイヤ孔１１と溝１２の組の数はこれらの実施例に限定されるものではない。また、ワイヤ孔１１と溝１２の組の数も偶数ではなく、奇数でも良い。
【００２９】
図９（ａ）は、本発明の第６の実施例の本体１０Ｆの構造を示す側面図である。第１から第５の実施例の本体１０，１０Ｓ，１０Ｈでは、ワイヤ孔１１の軸線と溝１２の軸線が同じ位置にあり、溝１２は本体１０の長手方向においてワイヤ孔１１と滑らかに接続している。一方、第６の実施例の本体１０Ｆでは、ワイヤ孔１１の直径と溝１２の幅は等しく形成されているものの、溝１２の軸線は本体１０Ｆの長手方向においてワイヤ孔１１の中心に対してオフセットされた位置にある。このため、第６の実施例の本体１０Ｆでは、ワイヤ孔１１に挿入されたワイヤ（図示省略）が端部１５方向に引っ張られた場合でも、ワイヤが溝１２の方向に移動せず、ワイヤが本体１０Ｆから外れ難い。
【００３０】
図９（ｂ）は図９（ａ）に示した第６の実施例の本体１０Ｆの変形例を示すものである。変形例の本体１０Ｆでは、ワイヤ孔１１に、溝１２とは別の、端部１５方向に延伸された逃げ溝１３が設けられている。このため、第６の実施例の変形例の本体１０Ｆでは、ワイヤ孔１１に挿入されたワイヤが端部１５方向に引っ張られた場合は、ワイヤが逃げ溝１３方向に移動する。このため、ワイヤの少々の変動は逃げ溝１３内で納めることができ、ワイヤが本体１０Ｆから外れ難い。
【００３１】
図１０（ａ）は、本発明の第７の実施例を示すものであり、図４（ｂ）で説明した保護板２０が本体１０と一体になった保護板付支持具３０を示している。図１０（ａ）に示す第７の実施例では保護板付支持具３０が筒状部３１と保護板部３２とから構成されている。筒状部３１の構造は第１の実施例の本体１０の構造と同じであるので、ここではその説明を省略する。第７の実施例の保護板付支持具３０では、釘部材３を挿通する釘部材挿通孔２１が保護板部３２の中央部に設けられている。
【００３２】
図１０（ｂ）は、図１０（ａ）で説明した本発明の第７の実施例の変形例の保護板付支持具３０の構成を示すものである。図１０（ｂ）に示す変形例でも、保護板付支持具３０は筒状部３１と保護板部３２とから構成されている。筒状部３１の構造は第１の実施例の本体１０の構造と同じであるので、ここではその説明を省略する。変形例の保護板付支持具３０では、釘部材３を挿通する筒状部３１が保護板部３２の中央部に設けられている点が図１０（ａ）で説明した本発明の第５の実施例の保護板付支持具３０と異なる。
【００３３】
図１０（ｃ）は本発明の第７の実施例の更に別の変形例の保護板付支持具３０Ａの構成を示すものである。この変形例の保護板付支持具３０Ａでも、保護板付支持具３０Ａは筒状部３１と保護板部３２Ａとから構成されている。筒状部３１の構造は第１の実施例の本体１０の構造と同じであるので、ここではその説明を省略する。一方、変形例の保護板部３２Ａは、第７の実施例と異なり、その外形が矩形である。筒状部３１は保護板部３２Ａの中央部に設けられている。変形例の保護板付支持具３０Ａが第７の実施例の保護板付支持具３０と異なる点は、保護板部３２Ａの形状が矩形であると共に、保護板部３２Ａがワイヤ孔１１に保持されるワイヤ５の延伸方向に対して湾曲している点である。
【００３４】
保護板部３２Ａの湾曲方向は保護板付支持具３０が取り付けられる樹木の幹部の湾曲形状に一致させることができる。変形例の保護板付支持具３０Ａは、取り付ける樹木の幹部の湾曲形状に合わせて、保護板部３２Ａの湾曲度合が異なるものを複数種類用意することが可能である。また、変形例の保護板付支持具３０Ａは、保護板部３２Ａを柔軟な部材から構成して、第６の実施例の保護板付支持具３０Ａの樹木への取付時に、保護板部３２Ａが樹木の直径に合わせて変形するようにしても良い。
【００３５】
図１１（ａ）は本発明の第８の実施例の電気柵用ワイヤ支持具４の正面図であり、図１１（ｂ）は図１１（ａ）に示した電気柵用ワイヤ支持具４の側面図である。第８の実施例の電気柵用ワイヤ支持具４は、本体１０が円板を湾曲させ形状であり、中央部に釘部材挿通孔２１を備える。また、本体１０の突状の端面１７（幹部２から遠い側の端面１７）には、本体１０が釘部材３によって幹部２取り付けられた状態で、ワイヤ５の延伸方向に平行に少なくとも１条の溝１２、本実施例では４状の溝１２が設けられている。端面１７に形成される溝１２の数は特に限定されない。図１１（ｃ）は第８の実施例の電気柵用ワイヤ支持具４の使用状態を示すものである。電気柵用ワイヤ支持具４は釘部材３によって幹部２に取り付けられ、予め幹部２に掛け渡されていたワイヤ５が電気柵用ワイヤ支持具４の溝１２内に移されると、図１１（ｃ）に示す状態になる。
【００３６】
図１２（ａ）は樹木１が生えた林野に本発明の電気柵用ワイヤ支持具４と釘部材３とを用いてワイヤ５を張り巡らし、ワイヤ５で囲まれた領域Ｒ１を形成し、ワイヤ５に高電圧発生装置５０から高電圧を印加して電気柵装置８を形成した状態を示すものである。ワイヤ５は領域Ｒ１を囲むように樹木１に掛け渡された後に、高電圧発生装置５０に接続される。ワイヤ５に通電を行わない状態で、ワイヤ５が係止された樹木１のワイヤ係止部の近くに釘部材３を打ち込み、打ち込んだ釘部材３に本発明の電気柵用ワイヤ支持具４を取り付ける。そして、樹木１に係止されているワイヤ５を樹木１から離す方向に引っ張り、縦方向に移動させて電気柵用ワイヤ支持具４の溝１２にワイヤ５を落とし込む。この実施例では、ワイヤ５を保持させない釘部材３には、電気柵用ワイヤ支持具４を取り付けていない。
【００３７】
このような電気柵装置８の中には、例えば鹿等を放牧しておく。鹿は林野においてまず下草を食べ、下草が無くなると樹木に生える木の実を食べることが知られている。鹿が下草を食べる分には都合が良いが、木の実まで食べられると、林業に影響が生じる。そこでまず、電気柵用ワイヤ支持具４とワイヤ５を用いて、図１２（ａ）に示すような領域Ｒ１を作ってこの中に鹿を追い込んで下草を食べさせる。そして、下草が無くなった状態で、図１２（ｂ）に示すように、ワイヤ５を別に張って領域Ｒ２を作る。そして、領域Ｒ１の時と同様に、ワイヤ５に通電しない状態で樹木１のワイヤ係止部の近くに釘部材３を打ち込んで電気棚用ワイヤ支持具４を取り付けてワイヤ５を保持させる。その後、鹿を領域Ｒ２に移すことにより、鹿が木の実を食べてしまう被害を防げる。鹿が領域Ｒ２に移った後の領域Ｒ１のワイヤ５と釘部材３は取り外せば良い。
【００３８】
以上説明した電気柵装置８に使用されるワイヤ５としては、直径が１．６ｍｍ、２．０ｍｍ及び２．５ｍｍの高張力鋼線を用いることができ、ワイヤ５を樹木間に掛け渡す際の引っ張り張力は８００Ｎ／ｍｍ２以上が可能である。そして、ワイヤ５を破断強度の７０％の強さで樹木間に掛け渡した場合、全長に対して２％以上の長さまで伸長するので、樹木間に掛け渡したワイヤ５を引っ張って伸ばし、本発明のワイヤ支持具の溝まで移動させることが可能である。
【符号の説明】
【００３９】
１    樹木
２    幹部
３    釘部材
４    電気柵用ワイヤ支持具
５    ワイヤ（導電ワイヤ）
１０    本体
１１    ワイヤ孔
１２    溝
１３    逃げ溝
２０    保護板
２０Ｒ    シール板
３０    保護板付板状部材
３１    筒状部
３２    保護板部
３３    係止突起
４０    防水キャップ
【図１】
2014183779.tif 000003
【図２】
2014183779.tif 000004
【図３】
2014183779.tif 000005
【図４】
2014183779.tif 000006
【図５】
2014183779.tif 000007
【図６】
2014183779.tif 000008
【図７】
2014183779.tif 000009
【図８】
2014183779.tif 000010
【図９】
2014183779.tif 000011
【図１０】
2014183779.tif 000012
【図１１】
2014183779.tif 000013
【図１２】
2014183779.tif 000014